(57)【要約】【課題】  地面の上に敷設する平形組ブロックであって、面一に敷設する作業が容易であって、敷設面の均一性が保持される平形組ブロック、エンドブロック及びコーナーブロックを提供する。【解決手段】  矩形を基本形態として、隣接する両辺の厚み下半に段切部を両辺でＬ字形交差の連続に形成し、他の隣接する両辺の下半には段切部と組み合い得る段突部を両辺でＬ字形の連続に突設した。【効果】  地面の上に並べて敷設するので雨水の地下への浸透を妨げることがないことはもちろん、ブロックを押し固めた地面に上から単に置く動作により配列の組み合わせができるので敷設作業が容易となり、また、殊に平形組ブロックでは、隣接するブロックの段突部や自己の段突部により上からの押圧力に耐えてブロック同志の面一が保持され、また、エンドブロックやコーナーブロックにより敷設端面を美的に処理できる。【選択図】    図１
2005240332.tif 000002
【特許請求の範囲】
【請求項１】
矩形を基本形態として、隣接する両辺の厚み下半に段切部を両辺でＬ字形交差の連続に形成し、他の隣接する両辺の下半には段切部と組み合い得る段突部を両辺でＬ字形の連続に突設したことを特徴とする平形組ブロック。
【請求項２】
請求項１に記載の平形組ブロックで敷設する面の端に使用するエンドブロックであって、その端面がストレートの小口状面に形成され、他の辺の厚み下半には隣接ブロックの段切部及び段突部と組み合う段突部及び段切部を設けてあることを特徴とするエンドブロック。
【請求項３】
請求項１に記載の平形組ブロックで敷設する面の隅角に使用するコーナーブロックであって、その隅角両面となる面がストレートの小口状面に形成され、他の辺の厚み下半には他の隣接ブロックの段切部及び／又は段突部と組み合う段突部及び／又は段切部を設けてあることを特徴とするコーナーブロック。
【発明の詳細な説明】
【技術分野】
【０００１】
この発明は、歩道や土間、玄関アプローチ等として敷設する平形組ブロックと、その敷設端となるエンドブロック及び敷設隅角となるコーナーブロックに関する。
【背景技術】
【０００２】
歩道や土間等を造る場合には、多くの場合均し固めた地面の上にコンクリートを打設し、その上に仕上げのモルタルを塗り、あるいはモルタルの上にタイルが張られる。しかし、作業に手数を要するばかりでなく、天候が悪い時には雨でコンクリートが流亡することになるために作業をなすことはできない。また、コンクリートやタイル張りの歩道は、雨水が地面に浸透する妨げになるため、降雨の際に浸水して歩行の障害になり、さらには、地下水の枯渇を招き深酷な地盤沈下の原因ともなっている。
【０００３】
また、従来の平形組ブロックは、単に四角形の場合であると、地面に直接載せて敷設すると沈下して敷設面が凸凹になりやすい。そこで、下面に地面に食い込ませる台形状の突部を設けた平形組ブロックが使用されることがあるが、その突部のために全ての平形組ブロックを水平に敷設することが困難であって、平均化するために、突部を地面に叩き込むか、あるはい、予め地面に突部が落ち込む凹みを掘っておく等の必要があり作業に手数が掛かっていた。
【０００４】
また、四角形を基本形体として側端面に例えば相互に嵌合し得る突起と凹部とを設ける場合もあるが、このようなブロックでは、構築する組立て作業において、突起と凹部とを嵌合するには、突起の突き出る方向、つまり水平に近い向かい合わせから操作を始めることになり、嵌める体勢が制約されるため、作業が困難となるという問題があった。
【発明の開示】
【発明が解決しようとする課題】
【０００５】
この発明は、上記のような実情に鑑みて、地面の上に敷設する平形組ブロックであって、面一に敷設する作業が容易であって、敷設面の均一性が保持される平形組ブロック、エンドブロック及びコーナーブロックを提供することを課題とした。
【課題を解決するための手段】
【０００６】
上記の課題を解決するために、この発明は、矩形を基本形態として、隣接する両辺の厚み下半に段切部を両辺でＬ字形交差の連続に形成し、他の隣接する両辺の下半には段切部と組み合い得る段突部を両辺でＬ字形の連続に突設したことを特徴とする平形組ブロックを提供する。
【０００７】
平形組ブロックを上記のように構成したから、これを使用するときには、地面を水平に押し固めてから、その上に縦横左右に順番に並べながら、隣接する平形組ブロックの段突部の上に段切部で重ねながら敷設することより、要領良く敷設することができ、この状態では、一個の平形組ブロックについて見ると、そのＬ字両辺の側では他の形組ブロックに受けられ、他のＬ字両辺の側では自己の段突部により受けられるので水平状態を保持する。また、下が地面であるので、ブロックの隙間から地面に雨水が浸透する。
【０００８】
また、この発明は、請求項１に記載の平形組ブロックで敷設する面の端に使用するエンドブロックであって、その端面がストレートの小口状面に形成され、他の辺の厚み下半には隣接ブロックの段切部及び段突部と組み合う段突部及び段切部を設けてあることを特徴とするエンドブロックを提供するものであって、このエンドブロックによれば、敷設端面がストレートに揃って整う。
【０００９】
さらに、この発明は、請求項１に記載の平形組ブロックで敷設する面の隅角に使用するコーナーブロックであって、その隅角両面となる面がストレートの小口状面に形成され、他の辺の厚み下半には他の隣接ブロックの段切部及び／又は段突部と組み合う段突部及び／又は段切部を設けてあることを特徴とするコーナーブロックを提供するものであって、このコーナーブロックによれば、敷設隅角の端面が同じくストレートに揃って整うことになる。
【発明の効果】
【００１０】
以上説明したように、この発明によれば、地面の上に並べて敷設するので雨水の地下への浸透を妨げることがないことはもちろん、ブロックを押し固めた地面に上から単に置く動作により配列の組み合わせができるので敷設作業が容易となり、また、殊に平形組ブロックでは、隣接するブロックの段突部や自己の段突部により上からの押圧力に耐えてブロック同志の面一が保持され、また、エンドブロックやコーナーブロックにより敷設端面を美的に処理できるという優れた効果がある。
【発明を実施するための最良の形態】
【００１１】
図１はこの発明の実施形態による平形組ブロックＰ、エンドブロックＱａ，Ｑｂ及びコーナーブロックＲａ，Ｒｂ，Ｒｃ，Ｒｄを敷設要領の配置において示す斜視図、図３は敷設状態を示す平面図であって、それぞれ平面の形状については大きさが同じ正四角形となっている。この上面の正四角形を基本形態として説明する。
【００１２】
平形組ブロックＰは、このように平面の正四角形を基本形として上面から下面の間としての厚みを有するが、隣接する両側面の下半に厚み半分の高さ及び奥行きにおいて段差状の凹欠、つまり段切部２，２を設け、隣接する他の両側面の下半には同じく厚み半分の高さ及び突出長において段差状の突部、つまり段突部３，３を設けてある。したがって、上下一対の正四角形片１，１を対角線方向にずらして一体化している形状と言えるので、この単純形状のままであると上下の区別がなく表裏同一に使用できる。
【００１３】
歩道等の敷設においては、図１では図示の都合から平形組ブロックＰが中央４個の少数となっているが、実際には平形組ブロックＰの組み合わせが大部分となるので、これについて配列をまず説明すると、各平形組ブロックＰ，Ｐ，・・を同じ体勢（向き）に使用し、順番（Ｂ，Ｃ配列順）に配列しながら、その時に隣接するＬ字形の縦横両平形組ブロックＰ，Ｐの段突部３，３の上に段切部２，２を上から置くという作業手順を取る。したがって、作業は極単純である。
【００１４】
平形組ブロックＰをこうして敷設すると、Ｌ字形に隣接する両ブロックの段突部３，３上に掛かって持たれるために、その間に段差がないように均一、面一に敷設される。また、敷設した状態において、人が歩くこと等で上からの力が掛かった場合を考えてみると、段切部２側の上にその力が掛かると（図２，図４の矢印Ｔａ）、隣接する平形組ブロックＰ，Ｐの段突部３，３で支持され、また、段突部３，３側の上に掛かると（矢印Ｔｂ）、その自己の段突部３，３により直接地盤Ｇに持たれることになるので、地盤Ｇを入念に基礎固めしておけば、その面一状態がいつまでも安定して保持されることになる。
【００１５】
エンドブロックＱａ，Ｑｂは、敷設の端面となる面をストレートに、つまり段切部２や段突部３が無い平面四角形態のままの小口状面５としたもので、他の箇所については平形組ブロックＰと同じ形状である。つまり、敷設の一端のエンドブロックＱａでは、段切部２が一辺のみで両辺に段突部３，３を有し、エンドブロックＱｂでは、段突部３が一辺のみで両辺に段切部２，２を有する。
【００１６】
また、コーナーブロックＲａ，Ｒｂ，Ｒｃ，Ｒｄは、敷設の隅角の両面がストレートな小口状面５，５となるようにしたもので、コーナーブロックＲａでは、内側両辺に段切部２，２を有し、コーナーブロックＲｂでは逆に段突部３，３を有する。また、コーナーブロックＲｃ，Ｒｄでは、それぞれ段切部２と段突部３とを一ずつ有する。
【００１７】
エンドブロックＱａ，Ｑｂ及びコーナーブロックＲａ，Ｒｂ，Ｒｃ，Ｒｄは、このように、平形組ブロックＰに対して一部において段切部２と段突部３とが、或いはそのいずれか一方が欠如していることになるが、敷設の端や隅角にはこのような特別のエンドブロックＱａ，ＱｂやコーナーブロックＲａ，Ｒｂ，Ｒｃ，Ｒｄを必ず使用するとは限らない。例えば、歩道の枕状肩ブロックに段切部２や段突部３と組み合う特殊な形状のものを使用する場合が挙げられる。
【００１８】
また、図示は省略するが、用途等に伴う要求から上面を粗面や凹凸面により滑り止めに形成し、下面には同じように凹凸面により地面に部分的に食い込む形状に形成することがある。
【図面の簡単な説明】
【００１９】
【図１】この発明の実施形態としての平形組ブロック、エンドブロック及びコーナーブロックを配列手順において示す斜視図である。
【図２】同図における平形組ブロックの拡大した斜視図である。
【図３】図１の配列において敷設した面を示す平面図である。
【図４】図３のＸ−Ｘ線矢視の断面図である。
【図５】図１のＡ配列のブロック群の一部省略した平面図である。
【図６】同平面に対する正面図である。
【図７】図１のＢ配列（Ｃ配列も同じ）のブロック群の一部省略した平面図である。
【図８】同平面に対する正面図である。
【図９】図１のＤ配列のブロック群の一部省略した平面図である。
【図１０】同平面に対する正面図である。
【符号の説明】
【００２０】
Ｐ  平形組ブロック
Ｑａ，Ｑｂ  エンドブロック
Ｒａ，Ｒｂ，Ｒｃ，Ｒｄ  コーナーブロック
２  段切部
３  段突部
５  小口状面
【図１】
2005240332.tif 000003
【図２】
2005240332.tif 000004
【図３】
2005240332.tif 000005
【図４】
2005240332.tif 000006
【図５】
2005240332.tif 000007
【図６】
2005240332.tif 000008
【図７】
2005240332.tif 000009
【図８】
2005240332.tif 000010
【図９】
2005240332.tif 000011
【図１０】
2005240332.tif 000012